(57)【要約】【課題】一種類の棚受けブラケットで棚板の長片と短片のいずれをも載置側として用いることができ、部品点数が少なく且つ製造が容易な商品陳列棚を提供すること。【解決手段】本発明の商品陳列棚１は、棚板７は長片９と短片１１とが略直角を成して一方を商品の載置側に他方を背側に配置し且つ長片９と短片１１との夫々の裏面に係止部１５を有し、棚受けブラケット５は棚板７の載置側を受ける水平部２５と背側を受ける垂直部２７とを有し、垂直部２７は係止部１５を脱着自在に係止する被係止部１７を有し、水平部２５には係止部１５を通す挿通孔１６が形成されており、棚板７の長片９と短片１１とのいずれかを載置側として棚板ブラケット５に取り付け自在としてある。【選択図】    図１
2004255125.tif 000002
【特許請求の範囲】
【請求項１】
支柱に装着する棚受けブラケットと、棚受けブラケットに装着する棚板とを備え、棚板は長片と短片とが略直角を成して一方を商品の載置側に他方を背側に配置し且つ長片と短片との夫々の裏面に係止部を有し、棚受けブラケットは棚板の載置側を受ける水平部と背側を受ける垂直部とを有し、垂直部は係止部を脱着自在に係止する被係止部を有し、水平部には係止部を通す挿通孔が形成されており、棚板の長片と短片とのいずれかを載置側として棚板ブラケットに取り付け自在としてあることを特徴とする商品陳列棚。
【請求項２】
係止部は棚板の切り起こしにより形成されていることを特徴とする請求項１に記載の商品陳列棚。
【請求項３】
棚板の長手方向一端に近接する位置にある係止部において棚板の一端から離れた側にある端と、棚受けブラケットの挿通孔において棚板の長手方向一端から離れた側にある端とが略同じ位置にあることを特徴とする請求項１又は２に記載の商品陳列棚。
【請求項４】
棚受けブラケットは、棚板の背側に配置する補助パネルの装着溝を備えることを特徴とする請求項１〜３のいずれかに記載の商品陳列棚。
【発明の詳細な説明】
【０００１】
【発明の属する技術分野】
本発明は、ビデオテープ、ＣＤ，ＭＤ、ＤＶＤ、ゲームソフトのパッケージ等の商品を陳列する商品陳列棚に関する。
【０００２】
【従来の技術】
この種の商品陳列棚において、特許文献１には、支柱に装着する棚受けブラケットと、長片と短片とで略直角を成す棚板とを備え、長片と短片との一方を載置側とし他方を背側として任意に交換可能に組み立てる構成が開示されている。
【０００３】
この特許文献１では、長片の裏面に下向き突片を有する基板を取り付けており、基板と長片の裏面との間に隙間を設けて、長片を載置側とする場合には、棚受けブラケットの係止部に下向き突片を係止させ、長片を背側とする場合には、挿入片を有する別の棚受けブラケット用意し、別の棚受けブラケットの挿入片を基板と長片の裏面との間に挿入している。
【０００４】
【特許文献１】
特開２００２−２３３４３８号公報
【０００５】
【発明が解決しようとする課題】
しかし、特許文献１の技術では、下向き突片を有する基板を棚板の裏面に取り付けているので、部品点数が多くなるとともに部品の加工や製造に手間がかかるという問題がある。
【０００６】
また、一つの棚板で長片と短片とのいずれかを載置側として用いることができるが、載置側を長片と短片とのいずれかに変更する場合には、別の棚受けブラケットが必要になり、二種類の棚受けブラケットを必要としている。
これに対して、棚板の長片と短片を入れ替えて用いる場合に、一種類の棚受けブラケットで兼用できることが望まれる。
【０００７】
本発明は、上述した事情に鑑みなされたもので、一種類の棚受けブラケットで棚板の長片と短片のいずれをも載置側として用いることができ、部品点数が少なく且つ製造が容易な商品陳列棚の提供を目的とする。
【０００８】
【課題を解決するための手段】
上記目的を達成するために、請求項１に記載の発明は、支柱に装着する棚受けブラケットと、棚受けブラケットに装着する棚板とを備え、棚板は長片と短片とが略直角を成して一方を商品の載置側に他方を背側に配置し且つ長片と短片との夫々の裏面に係止部を有し、棚受けブラケットは棚板の載置側を受ける水平部と背側を受ける垂直部とを有し、垂直部は係止部を脱着自在に係止する被係止部を有し、水平部には係止部を通す挿通孔が形成されており、棚板の長片と短片とのいずれかを載置側として棚板ブラケットに取り付け自在としてあることを特徴とする。
【０００９】
この請求項１に記載の発明では、支柱に棚受けブラケットを装着し、棚板の長片を載置側とし短片を背側とする場合には、短片の裏面に設けた係止部を棚受けブラケットの垂直部にある被係止部に係止し、長片の裏面に設けた係止部を棚受けブラケットの水平部にある挿通孔に通して、棚板を棚受けブラケットに装着する。
【００１０】
一方、短片を載置側とし長片を背側とする場合には、長片の裏面に設けた係止部を棚受けブラケットの垂直部にある被係止部に係止し、短片の裏面に設けた係止部を棚受けブラケットの水平部にある挿通孔に通して、棚板を棚受けブラケットに装着する。
【００１１】
本発明では、上述のように、棚受けブラケットの垂直部に被係止部を設け、水平部に被係止部の挿通孔を設けているので、一種類の棚受けブラットで、棚板の長片を載置側にしたり背側にして棚板を取り付けることができる。
しかも、棚板には長片と短片との裏面にそれぞれ係止部を設けるだけであるから、簡易な構成であり且つ部品点数も少ないとともに製造も容易である。
【００１２】
請求項２に記載の発明は、請求項１に記載の発明において、係止部は棚板の切り起こしにより形成されていることを特徴とする。
【００１３】
この請求項２に記載の発明では、請求項１に記載の発明と同様な作用効果を奏するとともに、係止部は棚板の切り起こしにより形成されているから、係止部を別部品とする場合に比較して部品点数を少なくでき且つ製造が容易である。
【００１４】
請求項３に記載の発明は、請求項１又は２に記載の発明において、棚板の長手方向一端に近接する位置にある係止部において棚板の一端から離れた側にある端と、棚受けブラケットの挿通孔において棚板の長手方向一端から離れた側にある端とが略同じ位置にあることを特徴とする。
【００１５】
この請求項３に記載の発明は、請求項１又は２に記載の発明と同様な作用効果を奏するとともに、棚板の両側端において、棚板の係止部が棚受けブラケットの挿通孔に挿通したときに、棚板の左右方向における移動が規制され、棚板の左右方向におけるがたつきを防止できる。
この場合、棚受けブラケットの挿通孔は、左右方向の幅を棚板の係止部の左右方向の幅と略同じにしてもよいし、棚受けブラケットの挿通孔の左右方向の幅を係止部の左右方向の幅よりも広くしてあってもよい。
【００１６】
請求項４に記載の発明は、請求項１〜３のいずれかに記載の発明において、棚受けブラケットは、棚板の背側に配置する補助パネルの装着溝を備えることを特徴とする。
【００１７】
この請求項４に記載の発明は、請求項１〜３のいずれに記載の発明と同様な作用効果を奏するとともに、棚受けブラケットが商品説明や価格等を表示する表示パネルや、商品の背側を受ける垂直部（背板）の継ぎ足し用パネル等の補助パネルの装着を兼ねることができる。
【００１８】
【発明の実施の形態】
以下に、添付図面の図１〜図４を参照して本発明の第１実施の形態を詳細に説明する。図１は本発明の実施の形態にかかる商品陳列棚の縦断面図であり、図２は図１に示す商品陳列棚の分解斜視図であり、図３は棚板の図であり、（ａ）は正面図、（ｂ）は側面図であり、図４は長片と短片とを入れ替えて装着した商品陳列棚の縦断面図である。
【００１９】
本実施の形態にかかる商品陳列棚１は、ビデオテープ、ＣＤ、ゲームソフトのパッケージ等を陳列するものであり、陳列する商品の寸法や形状または陳列の形態に応じて、棚板の載置側の奥行き寸法や形状を変えることができるようになっている。
この商品陳列棚１は、支柱３に装着する棚受けブラケット５と、棚板７とを備えており、支柱３には、上下に多数の係止孔８が所定間隔をあけて列状に形成されており、任意の位置に棚受けブラケット５を装着できるようになっている。
【００２０】
棚板７は長片９と短片１１とを略直角を成して、縦断面が略Ｌ字形状に形成されている。長片９にはその先端に溝１３が棚板７の長手方向に沿って形成されており、商品の表面を正面に向けて溝１３に立てたり、商品の奥行き寸法が長い場合には奥行き寸法を長くして商品を受けることができるようになっている。尚、長片９はコーナ２１から先端までの距離が同じコーナ２１から短片１１の先端までの距離よりも長い。
【００２１】
棚板７の長手方向両端部には、それぞれ長片９と短片１１との裏面に突設した係止部１５が設けられている。各係止部１５は棚板７を切り起こして形成された断面くの字状の片であり、棚板７の切り起こしにより形成されているので、別部材としている場合に比較して製造時における部品点数が少なく且つ製造が容易である。係止部１５は、係止部１５の弾性変形により棚板裏面との間の溝１９に後述する棚受けブラケット５の被係止部１７を脱着自在に装着するようになっている。各係止部１５の溝１９は、それぞれ、棚板７の長片９と短片１１との成すコーナ２１を向いて開いている。また、長片９と短片１１とにおいて、コーナ２１から各係止部１５までの寸法ａ及びｂは、等しい（図３（ｂ）参照）。
【００２２】
棚板７の長片９と短片１１とには、図２及び図３に示すように、それぞれ正面に隔壁の装着孔２３が形成されており、必要に応じて商品毎に区画する隔壁を取り付け可能になっている。
また、棚板７には、長片９と短片１１とに亘って補強部材２６が設けられており、この補強部材２６は棚板７の両端部を除く長手方向に取り付けられている。
【００２３】
棚受けブラケット５には、棚板７の載置側を受ける水平部２５と、背側を受ける垂直部２７と、支柱３への取付部２９と、側板３１とが樹脂材により一体成形されている。
【００２４】
水平部２５には、棚板７の係止部１５を挿通する挿通孔１６が形成されており、挿通孔１６は、棚板７の一端から係止部１５の左右方向における一端から離れた側にある端までの幅寸法Ｈ（図３（ａ）参照）と略同じ寸法Ｗ（図２参照）に形成してあり、棚受けブラケットの挿通孔１６の端と係止部１５との端とが略同じ位置にある。このように、棚板７の左右の両側で、棚受けブラケットの挿通孔１６の端と係止部１５との端とを略同じ位置にすることにより、棚板７の左右方向の移動を規制している。
【００２５】
一方、垂直部２７には、棚板７の係止部１５を脱着自在に係止する被係止部１７が設けられている。この被係止部１７の上には貫通孔３３が形成されており、棚板７の係止部１５を貫通孔３３に通した後、棚板７を下げて係止部１５と棚板の裏面との溝１９に被係止部１７を上方から脱着自在に嵌合している。
【００２６】
取付部２９には、上下方向に４つの装着片２９ａ、２９ｂ、２９ｃ、２９ｄが設けられており、上から第１及び第３番目の装着片２９ａ、２９ｃには、２つの嵌合溝３５ａと３５ｂとが形成されている。そして、共通の角度の嵌合溝３５ａ又は３５ｂを支柱の係止溝８に係止することにより、棚受けブラケット５の支柱３に対する取り付け角度を変えられるようになっている。
垂直部２７の裏側には、表示パネル（補助パネル）３７の装着溝３９が形成されており、左右の棚受けブラケット５、５間の背面に、商品の広告、説明、価格等を表示するパネルの取り付け部を兼ね備えている。
【００２７】
次に、本実施の形態にかかる商品陳列棚１の組み立て方法及び作用について説明する。まず、支柱３の係止孔８に取付部２９の装着片２９ａ〜２９ｄを取り付ける。尚、装着片２９ａ〜２９ｄの嵌合溝３５ａ、３５ｂを選択することにより、棚受けブラケット５の取り付け角度を変えることができる。
【００２８】
棚板７の装着において、棚板７の長片９を載置側とし短片１１を背側とする場合には、短片１１の裏面に設けた係止部１５を棚受けブラケット５の垂直部２７にある貫通孔３３に通した後、棚板７を下方に下げて係止部１５を被係止部１７に嵌合する。このとき、長片９の裏面に突設している係止部１５は、棚受けブラケットの水平部２５に形成された挿通孔１６に挿通するので、棚板７の短片１１の裏面は棚受けの水平部２５の上面に密着して載置される。
このように、本実施の形態によれば、支柱３に装着した棚受けブラケット５に棚板７の端部を下方にスライドするだけで容易に組み立てできる。
【００２９】
棚板７の長片９にある係止部１５が棚受けブラケット５の挿通孔１６に挿通すると、挿通孔１６の幅寸法Ｗが係止部１５の幅寸法Ｈと略同じ寸法に形成されているので、棚板７の左右方向の移動が規制され、棚板７の左右方向のがたつきを防止する。
また、必要に応じて、左右の棚受けブラケット５、５に商品の広告や説明等を表示した表示パネル３７を取り付ける。
【００３０】
一方、図４に示すように、短片１１を載置側とし長片９を背側として棚板７を装着する場合には、上述した棚受けブラケット５を取り付けたまま、棚板７の左右を入れ替えて長片９を垂直にし、短片１１を水平にする。そして、長片９の裏面に設けた係止部１５を棚受けブラケット５の垂直部２７にある貫通孔３３に挿通した後、下方に下げて、係止部１５を被係止部１７に嵌合して係止する。同時に、短片１１の裏面に設けた係止部１５を棚受けブラケット５の水平部２５にある挿通孔１６に通して、棚板７を棚受けブラケット５に装着する。
【００３１】
本発明では、上述のように、棚受けブラケット５の垂直部２７に被係止部１７を設け、水平部２５に被係止部１５の挿通孔１６を設けているので、棚受けブラット５を変えることなく、棚板７の長片９を載置側にしたり背側にして棚板７を取り付けることができる。
【００３２】
以下に、本発明の他の実施の形態を説明するが、以下に説明する実施の形態では、上述した実施の形態と同一の作用効果を奏する部分には同一の符号を付することにより、その部分の詳細な説明を省略し、上述した実施の形態と異なる点を主に説明する。
図５に示す第２実施の形態では、棚受けブラケット５に側板３１を設けておらず、左右両側から棚板７を装着している。この第２実施の形態では棚受けブラケット５には左右の棚板７、７を並べて係止するため、垂直部２７に設けた被係止部１７及び貫通孔３３、水平部２５に設けた挿通孔１６とをそれぞれ２列に並べて設けている。
【００３３】
この第２実施の形態によれば、上述の第１実施の形態と同様な作用効果を奏することができるとともに、左右の棚板７、７を仕切らないで繋げることができる。
【００３４】
本発明は、上述した実施の形態に限定されず、本発明の要旨を逸脱しない範囲で種々変形可能である。
例えば、係止部１５は横断面くの字形状に形成することに限らず、鉤状に形成するものであってもよい。
長片９と短片１１とにそれぞれ設ける係止部１５の数は２つづつ設けることに限らず、いくつでもよい。
棚板７には、溝１３を設けることに限らず、溝１３に変えて突条部を形成して商品を斜めに掛け置きしたり、平坦に形成するものであってもよい。
【００３５】
陳列商品は、ビデオテープやＣＤパッケージ等に限定されない。
表示パネル３７は、商品の背側を受ける垂直部の継ぎ足し用パネルであってもよい。
棚受けブラケット５の挿通孔１６の幅Ｗと、係止部の幅Ｍ（図３ａ参照）とを略同じ寸法として、棚板７の左右方向の移動を規制するものであってもよい。
棚受けブラケット５は、樹脂材に限らず、金属材でもよい。
【００３６】
【発明の効果】
請求項１に記載の発明によれば、棚受けブラケットの垂直部に被係止部を設け、水平部に被係止部の挿通孔を設けているので、一種類の棚受けブラットで、棚板の長片を載置側にしたり背側にして棚板を取り付けることができる。
棚板には長片と短片との裏面にそれぞれ係止部を設けるだけであるから、簡易な構成であり且つ部品点数も少ないとともに製造も容易である。
【００３７】
請求項２に記載の発明によれば、請求項１に記載の発明と同様な効果を奏するとともに、係止部は棚板の切り起こしにより形成されているから、係止部を別部品とする場合に比較して部品点数を少なくでき且つ製造が容易である。
【００３８】
請求項３に記載の発明によれば、請求項１又は２に記載の発明と同様な効果を奏するとともに、棚受けブラケットの挿通孔に対して係止部の左右方向の移動が規制され、棚板の左右方向のがたつきを防止できる。
【００３９】
請求項４に記載の発明によれば、請求項１〜３のいずれに記載の発明と同様な効果を奏するとともに、商品説明やプライス表示等を表示する表示パネルや商品の背側を受ける垂直部（背板）の継ぎ足し用パネル等の補助パネルの装着を兼用することができる。
【図面の簡単な説明】
【図１】本発明の実施の形態にかかる商品陳列棚の縦断面図である。
【図２】図１に示す商品陳列棚の分解斜視図である。
【図３】棚板の図であり、（ａ）は正面図、（ｂ）は側面図である。
【図４】図１において長片と短片とを入れ替えて装着した断面図である。
【図５】他の実施の形態にかかる商品陳列棚の分解斜視図である。
【符号の説明】
１    商品陳列棚
３    支柱
５    棚受けブラケット
７    棚板
９    長片
１１  短片
１５  係止部
１７  被係止部
２５  水平部
２７  垂直部
３７  表示パネル（補助パネル）
３９  表示パネルの装着溝
【図１】
2004255125.tif 000003
【図２】
2004255125.tif 000004
【図３】
2004255125.tif 000005
【図４】
2004255125.tif 000006
【図５】
2004255125.tif 000007